(57)【要約】【課題】簡便な構成で、電気温水器の定期洗浄サービスを提供可能にするシステムを提供すること。【解決手段】  電気温水器２００の貯湯槽２０１の洗浄システムであって、貯湯槽２０１下部に設けられたドレン２５２に接続するＴ字型三方バルブ１０２と、三方バルブ１０２に連結し、圧縮空気を送出する圧縮空気送出ポンプ１０１と、を備え、三方バルブ１０２は、予め貯湯槽２０１上部の温水供給管２５１を開放した後の前記圧縮空気送出ポンプ１０１からの空気の送出と、空気送出に基づく槽内噴流による槽内洗浄後の水抜きと、を切り替えるレバー１２１を具備したことを特徴とする電気温水器洗浄システム１００。【選択図】図１
0003178134.tif 000002
【実用新案登録請求の範囲】
【請求項１】
電気温水器の貯湯槽の洗浄システムであって、
貯湯槽下部に設けられたドレンに接続する三方バルブと、
三方バルブに連結し、圧縮空気を送出するポンプと、
を備え、
三方バルブは、予め貯湯槽上部の温水供給管を開放した後の前記ポンプからの空気の送出と、空気送出に基づく槽内噴流による槽内洗浄後の水抜きと、を切り替える切替レバーを具備したことを特徴とする電気温水器洗浄システム。
【請求項２】
ポンプの送出空気圧が０．８Ｐａ以上であることを特徴とする請求項１に記載の電気温水器洗浄システム。
【請求項３】
貯湯槽の側周面の一部を構成する加温部を取り外し、切替レバーによる水抜き後に、取り外した孔から貯湯槽内面に高圧水を吹き付ける高圧水噴射装置を備えたことを特徴とする請求項１または２に記載の電気温水器洗浄システム。
【考案の詳細な説明】
【技術分野】
【０００１】
本考案は、電気温水器洗浄システムに関し、特に、ドレンを利用した電気温水器洗浄システムに関する。
【背景技術】
【０００２】
電気温水器は、風呂用、洗い物用など、非飲用の用途に用いられる比較的大容量の温水供給装置でありガス給湯器と同様広く一般家庭に設置されている。電気温水器は、例えば３００リットルの円筒の貯湯槽とその側周に取り付けられた熱電加熱装置とを主要な構成としている。貯湯槽は断熱材で覆われ、上部に給湯のための水道管、下部には水道水を取り入れる水道管が設けられ、また、水抜きのためのドレンバルブも取り付けられている。
【０００３】
従来、電気温水器は、内部の湯垢の除去、錆や不純物の除去を行うように、年に一度はドレンバルブを開け、水抜きが推奨されている。しかしながら、実際には、ほとんど利用されておらず、使用状況によっては、貯湯槽内部の汚れ等が長年放置される場合があるという問題点があった。その理由には、屋外設置されてドレンバルブの存在自体を忘却してしまっている、普段供給される湯が汚れて見えないため必要性を感じない、単なる水抜きでは貯湯槽内壁の汚れがあったとしても剥離しないという先入観がある、等が挙げられる。
【先行技術文献】
【特許文献】
【０００４】
【特許文献１】実開平０５−０３２９６３号公報
【特許文献２】特開２０１１−０３６７３８号公報
【特許文献３】特開２００８−３０２３４１号公報
【特許文献４】特開２００５−１５２７８２号公報
【考案の概要】
【考案が解決しようとする課題】
【０００５】
本考案は上記に鑑みてなされたものであって、簡便な構成で、電気温水器の定期洗浄サービスを提供可能にするシステムを提供することを目的とする。
【課題を解決するための手段】
【０００６】
請求項１に記載の電気温水器洗浄システムは、電気温水器の貯湯槽の洗浄システムであって、貯湯槽下部に設けられたドレンに接続する三方バルブと、三方バルブに連結し、圧縮空気を送出するポンプと、を備え、三方バルブは、予め貯湯槽上部の温水供給管を開放した後の前記ポンプからの空気の送出と、空気送出に基づく槽内噴流による槽内洗浄後の水抜きと、を切り替える切替レバーを具備したことを特徴とする。
【０００７】
すなわち、請求項１にかかる考案は、ドレンから空気を送出して槽内噴流を巻き起こし、構造上、貯湯槽中でもっともよどみやすく汚れや錆がたまりやすいドレン付近を含み底部を中心とした洗浄が可能となる。
【０００８】
請求項２に記載の電気温水器洗浄システムは、請求項１に記載の電気温水器洗浄システムにおいて、ポンプの送出空気圧が０．８Ｐａ以上であることを特徴とする。
【０００９】
すなわち、請求項２にかかる考案は、洗浄に好適な噴流を生じさせることができる。
【００１０】
請求項３に記載の電気温水器洗浄システムは、請求項１または２に記載の電気温水器洗浄システムにおいて、貯湯槽の側周面の一部を構成する加温部を取り外し、切替レバーによる水抜き後に、取り外した孔から貯湯槽内面に高圧水を吹き付ける高圧水噴射装置を備えたことを特徴とする。
【００１１】
すなわち、請求項３にかかる考案は、貯湯槽を部分分解し、目視による確認ができ、より効果的な洗浄が可能となる。また、副次的に、全般的な定期点検が可能となる。
【考案の効果】
【００１２】
本考案の電気温水器洗浄システムによれば、簡便な構成で、電気温水器の定期洗浄サービスを提供可能にするシステムを提供できる。
【図面の簡単な説明】
【００１３】
【図１】本考案の電気温水器洗浄システムの構成例を示した説明図である。
【図２】は、加温部を取り外した貯湯槽から高圧水噴射による洗浄の様子を示した説明図である。
【考案を実施するための形態】
【００１４】
以下、本考案の実施の形態を図面を参照しながら詳細に説明する。図１は、本考案の電気温水器洗浄システムの構成例を示した説明図である。図２は、加温部を取り外した貯湯槽から高圧水噴射による洗浄の様子を示した説明図である。
【００１５】
電気温水器洗浄システム１００は、圧縮空気送出ポンプ１０１と、Ｔ字型三方バルブ１０２と、これらを接続するチューブ１０３と、高圧水噴射装置１０５と、を主要な構成としている。また、高圧水噴射装置１０５は、送水ポンプ１５１と、噴射ノズル１５２とを有する。
【００１６】
本実施の形態では、電気温水器２００は、貯湯槽２０１、加温部２０２、とを有し、貯湯槽２０１は、内側に円筒タンク２１１，外側に断熱層部２１２、円筒タンク２１１上部に、温水供給管２５１，下部にドレン２５２、水道接続口２５３、を備える構成として説明する。なお、加温部２０２は、貯湯槽２０１の側周に取り付けられ、一部は円筒タンク２１１の内壁を形成し、円筒タンク２１１の水を直接温める構成であるものとする。
【００１７】
洗浄に際しては、次の手順で行う。
１）まず、水道接続口２５３上流の水道管の元栓を閉める。場合によっては水道接続口２５３にコックないしバルブがある場合があり、その場合はこれを閉め、水道水供給を遮断する。
２）次に、温水供給管２５１に接続されている給湯管を外し、温水供給管２５１を開放する。
３）ドレン２５２にＴ字型三方バルブ１０２の直進一端を取り付ける。ドレン２５２先端にねじ切りがされていない場合には、適宜、口金やホースバンド等の取付具を介在させて取り付ける。なお、Ｔ字型三方バルブ１０２の直進他端は、予めチューブ１０３を取付け、その上流に圧縮空気送出ポンプ１０１を取り付けておく。
４）次に、Ｔ字型三方バルブ１０２のレバー１２１と、ドレン２５２の開放バルブＢとを操作し、Ｔ字型三方バルブ１０２の開放口から円筒タンク２１１内の水を約１／４抜く。
５）圧縮空気送出ポンプ１０１を駆動し、Ｔ字型三方バルブ１０２を操作し、ドレン２５２から圧縮空気を送出する。このとき、空気圧は０．８Ｐａ以上とする。これにより、円筒タンク２１１内には、気液混合噴流が発生し、よどんでいる底を中心に槽内壁が洗浄される。なお、空気は温水供給管２５１から抜けていく。
６）所定時間経過後、圧縮空気送出ポンプ１０１を停止し、Ｔ字型三方バルブ１０２のレバー１２１を操作し、円筒タンク２１１の水抜きを行う。これにより、湯垢、錆、その他の不純物が一緒に排出される。
７）続いて、加温部２０２を取り外し、露出した円形孔２２１から、噴射ノズル１５２を差し込む。
８）高圧水噴射装置１０５を駆動し、噴射ノズル１５２からの高圧洗浄により円筒タンク２１１を内側から洗浄する。このとき、適宜鏡を挿入し、内壁、特にタンク下部の洗浄状態を確認しながら行っても良い。
９）高圧水噴射装置１０５を止め、加温部２０２を取付け、ドレン２５２のバルブを閉め、各接続部を元通りにして洗浄を終了する。
【００１８】
なお、加温部２０２については、適宜、漏電チェックや伝熱体の保守・点検を行うようにしても良い。
【００１９】
電気温水器洗浄システム１００を実際に使用したところ、特に円筒タンク２１１の底部に細かな錆、湯垢が付着していたのが除去でき、好適な洗浄が行えることを確認した。
【産業上の利用可能性】
【００２０】
本考案によれば、個人宅では、メンテナンスを失念しがちな電気温水器を、簡便な構成のシステムにより安価に洗浄可能するサービスを提供することができる。したがって、利用者側からすると、定期的なメンテナンスによりきれいな温水を享受でき、電気温水器の長寿命化を期待できる。また、例えば、水道事業者等にとっては、新たなサービス提供による収益向上および各種不具合の予防による業務負担軽減を期待できる。
【符号の説明】
【００２１】
１００  電気温水器洗浄システム
１０１  圧縮空気送出ポンプ
１０２  Ｔ字型三方バルブ
１０３  チューブ
１０５  高圧水噴射装置
１２１  レバー
１５１  送水ポンプ
１５２  噴射ノズル
２００  電気温水器
２０１  貯湯槽
２０２  加温部
２１１  円筒タンク
２１２  断熱層部
２２１  円形孔
２５１  温水供給管
２５２  ドレン
２５３  水道接続口
【図１】
0003178134.tif 000003
【図２】
0003178134.tif 000004